【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
カレンダー機能を有する計時手段と、画像を撮像する撮像手段と、前記撮像手段で撮像した画像の画像データをその撮像日時に対応付けて画像データ記憶手段に格納して管理する画像データ管理手段と、日時に対応付けて個人情報を個人情報記憶手段に格納し、前記日時と前記個人情報とを対応付けて表すための管理テーブルを用いて前記個人情報を管理する個人情報管理手段と、前記管理テーブルと前記画像データとを表示するための表示手段とを有する携帯情報端末において、
前記撮像手段による画像の撮像時にこの画像の撮像日時を前記計時手段から取得し、この取得した撮像日時に基づき該日時に撮像した画像の画像データと前記管理テーブル上の日時とを関連付けるデータ関連付け手段を設けたことを特徴とする携帯情報端末。
【請求項２】
前記管理テーブルの表示時に該管理テーブル上の日時に関連付けられている画像データがあるときには、該管理テーブルとともに該管理テーブル上の日時に関連付けられている画像データの存在を表す存在表示情報を前記管理テーブル中に表示するように前記表示手段を制御することを特徴とする請求項１記載の携帯情報端末。
【請求項３】
前記存在表示情報の表示形状を変更する表示形状変更手段を設けたことを特徴とする請求項２記載の携帯情報端末。
【請求項４】
前記存在表示情報の表示の有無を選択する表示選択手段を設けたことを特徴とする請求項２記載の携帯情報端末。
【請求項５】
前記存在表示情報を前記管理テーブル上の前記撮像手段による画像の撮像日時に対応する日時の表示位置に表示することを特徴とする請求項２記載の携帯情報端末。
【請求項６】
前記管理テーブル中に表示された前記存在表示情報を指定する画像指定手段と、前記指定された存在表示情報で存在を表された画像データを前記画像データ記憶手段から読み出して前記表示手段に表示するように制御する画像データ表示制御手段とを設けたことを特徴とする請求項２記載の携帯情報端末。
【請求項７】
前記データ関連付け手段による関連付けを許可するか否かを選択する関連付け選択手段を設けたことを特徴とする請求項１記載の携帯情報端末。
【請求項８】
画像データを撮像する撮像手段と、前記撮像手段で撮像した画像データと撮像日時情報を対応付けて記憶する記憶手段と、電話番号情報を電話帳記憶手段に格納して管理する電話番号情報管理手段と、前記画像データと前記電話番号情報とを表示するための表示手段とを有する携帯情報端末において、
前記撮像手段による画像の撮像時にこの撮像した画像の画像データと前記電話番号情報とを関連付けるデータ関連付け手段を設けたことを特徴とする携帯情報端末。
【請求項９】
前記データ関連付け手段は、外部から前記画像データに関連付ける電話番号情報が指定されたときに、該電話番号情報と前記画像データとを関連付けることを特徴とする請求項８記載の携帯情報端末。
【請求項１０】
前記電話番号情報の表示時に該電話番号情報に関連付けられている画像データがあるときには、前記電話番号情報に関連付けられている画像データを前記画像データ記憶手段から読み出して前記電話番号情報とともに前記表示手段に表示するように制御することを特徴とする請求項８記載の携帯情報端末。
【請求項１１】
前記データ関連付け手段による関連付けを許可するか否かを選択する関連付け選択手段を設けたことを特徴とする請求項８記載の携帯情報端末。
【請求項１２】
カレンダー機能を有する計時手段と、画像を撮像する撮像手段と、前記撮像手段で撮像した画像の画像データをその撮像日時に対応付けて画像データ記憶手段に格納して管理する画像データ管理手段と、日時に対応付けて個人情報を個人情報記憶手段に格納し、前記日時と前記個人情報とを対応付けて表すための管理テーブルを用いて前記個人情報を管理する個人情報管理手段と、前記管理テーブルと前記画像データとを表示するための表示手段とを有する携帯情報端末に用いられ、前記画像データと前記個人情報とを管理する情報管理方法であって、
前記撮像手段による画像の撮像時にこの画像の撮像日時を前記計時手段から取得し、この取得した撮像日時に基づき該日時に撮像した画像の画像データと前記管理テーブル上の日時とを関連付けることを特徴とする情報管理方法。
【請求項１３】
画像データを撮像する撮像手段と、前記撮像手段で撮像した画像データと撮像日時情報を対応付けて記憶する記憶手段と、電話番号情報を電話帳記憶手段に格納して管理する電話番号情報管理手段と、前記画像データと前記電話番号情報とを表示するための表示手段とを有する携帯情報端末に用いられ、前記画像データと前記個人情報とを管理する情報管理方法であって、
前記撮像手段による画像の撮像時にこの撮像した画像の画像データと前記電話番号情報とを関連付けることを特徴とする情報管理方法。
【手続補正２】
【補正対象書類名】明細書
【補正対象項目名】０００７
【補正方法】変更
【補正の内容】
【０００７】
【課題を解決するための手段】
本発明は、カレンダー機能を有する計時手段と、画像を撮像する撮像手段と、前記撮像手段で撮像した画像の画像データをその撮像日時に対応付けて画像データ記憶手段に格納して管理する画像データ管理手段と、日時に対応付けて個人情報を個人情報記憶手段に格納し、前記日時と前記個人情報とを対応付けて表すための管理テーブルを用いて前記個人情報を管理する個人情報管理手段と、前記管理テーブルと前記画像データとを表示するための表示手段とを有する携帯情報端末において、前記撮像手段による画像の撮像時にこの画像の撮像日時を前記計時手段から取得し、この取得した撮像日時に基づき該日時に撮像した画像の画像データと前記管理テーブル上の日時とを関連付けるデータ関連付け手段を設けたことを特徴とする。


【手続補正３】
【補正対象書類名】明細書
【補正対象項目名】０００８
【補正方法】変更
【補正の内容】
【０００８】
また、本発明は、画像データを撮像する撮像手段と、前記撮像手段で撮像した画像データと撮像日時情報を対応付けて記憶する記憶手段と、電話番号情報を電話帳記憶手段に格納して管理する電話番号情報管理手段と、前記画像データと前記電話番号情報とを表示するための表示手段とを有する携帯情報端末において、前記撮像手段による画像の撮像時にこの撮像した画像の画像データと前記電話番号情報とを関連付けるデータ関連付け手段を設けたことを特徴とする。
【手続補正４】
【補正対象書類名】明細書
【補正対象項目名】０００９
【補正方法】変更
【補正の内容】
【０００９】
また、本発明は、カレンダー機能を有する計時手段と、画像を撮像する撮像手段と、前記撮像手段で撮像した画像の画像データをその撮像日時に対応付けて画像データ記憶手段に格納して管理する画像データ管理手段と、日時に対応付けて個人情報を個人情報記憶手段に格納し、前記日時と前記個人情報とを対応付けて表すための管理テーブルを用いて前記個人情報を管理する個人情報管理手段と、前記管理テーブルと前記画像データとを表示するための表示手段とを有する携帯情報端末に用いられ、前記画像データと前記個人情報とを管理する情報管理方法であって、前記撮像手段による画像の撮像時にこの画像の撮像日時を前記計時手段から取得し、この取得した撮像日時に基づき該日時に撮像した画像の画像データと前記管理テーブル上の日時とを関連付けることを特徴とする。
【手続補正５】
【補正対象書類名】明細書
【補正対象項目名】００１０
【補正方法】変更
【補正の内容】
【００１０】
また、本発明は、画像データを撮像する撮像手段と、前記撮像手段で撮像した画像データと撮像日時情報を対応付けて記憶する記憶手段と、電話番号情報を電話帳記憶手段に格納して管理する電話番号情報管理手段と、前記画像データと前記電話番号情報とを表示するための表示手段とを有する携帯情報端末に用いられ、前記画像データと前記個人情報とを管理する情報管理方法であって、前記撮像手段による画像の撮像時にこの撮像した画像の画像データと前記電話番号情報とを関連付けることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００５９
【補正方法】変更
【補正の内容】
【００５９】
ステップＳ４０６では、入力／操作部から関連付け対象となる電話帳データに含まれる情報の一部を入力し、この入力された情報に基づき関連付け対象となる電話帳データをＲＡＭに格納されている電話帳データの中から選択する。本実施の形態では、この関連付ける電話帳データを選択するために、人物すなわち電話帳データに含まれる情報の１つである名前を入力する。この名前の入力によって選択された電話帳データと画像データとの関連付けが行われる。具体的には、図８（ｂ）に示すように、ＲＡＭ１０６上の電話帳データメモリとして確保されている領域（アドレス８００００Ｈから９ＦＦＦＦＨまでの領域）に格納されている電話帳データの中の入力された名前（例えば「山本太郎」）を含む電話帳データに関連付けられる画像データ名（例えば「画像データ３」）が書き込まれる


【手続補正１９】
【補正対象書類名】明細書
【補正対象項目名】００６６
【補正方法】変更
【補正の内容】
【００６６】
【発明の効果】
以上に説明したように、請求項１記載の携帯情報端末によれば、撮像手段で撮像した画像の画像データと個人情報とを関連付けて管理することができる。


【手続補正２０】
【補正対象書類名】明細書
【補正対象項目名】００６７
【補正方法】削除
【補正の内容】
【手続補正２１】
【補正対象書類名】明細書
【補正対象項目名】００６８
【補正方法】変更
【補正の内容】
【００６８】
請求項２記載の携帯情報端末によれば、管理テーブルの表示時に該管理テーブル上の日時に関連付けられている画像データがあるときには、該管理テーブルとともに該管理テーブル上の日時に関連付けられている画像データの存在を表す存在表示情報を管理テーブル中に表示するように表示手段を制御するから、この管理テーブルで表された期間内に撮像された画像データがあることを知ることができる。


【手続補正２２】
【補正対象書類名】明細書
【補正対象項目名】００６９
【補正方法】削除
【補正の内容】
【手続補正２３】
【補正対象書類名】明細書
【補正対象項目名】００７０
【補正方法】削除
【補正の内容】
【手続補正２４】
【補正対象書類名】明細書
【補正対象項目名】００７１
【補正方法】変更
【補正の内容】
【００７１】
請求項３記載の携帯情報端末によれば、存在表示情報の表示形状を変更する表示形状変更手段を設けたから、存在表示情報の表示を見易くすることが可能であるとともに、存在表示情報が多い場合にはその表示形状を変更することによって管理テーブル中に表された他の情報を見易くすることができる。


【手続補正２５】
【補正対象書類名】明細書
【補正対象項目名】００７２
【補正方法】変更
【補正の内容】
【００７２】
請求項４記載の携帯情報端末によれば、存在表示情報の表示の有無を選択する表示選択手段を設けたから、必要に応じて存在表示情報の表示の有無を選択することができる。


【手続補正２６】
【補正対象書類名】明細書
【補正対象項目名】００７３
【補正方法】変更
【補正の内容】
【００７３】
請求項５記載の携帯情報端末によれば、存在表示情報を管理テーブル上の撮像手段による画像の撮像日時に対応する日時の表示位置に表示するから、この管理テーブルで表された期間内に撮像された画像データがあることを知ることができるとともに、存在情報の表示位置からその画像データの概略の撮像日時を知ることができる。


【手続補正２７】
【補正対象書類名】明細書
【補正対象項目名】００７４
【補正方法】変更
【補正の内容】
【００７４】
請求項６記載の携帯情報端末によれば、管理テーブル中に表示された存在表示情報を指定する画像指定手段と、指定された存在表示情報で存在を表された画像データを画像データ記憶手段から読み出して表示手段に表示するように制御する画像データ表示制御手段とを設けたから、管理テーブルの表示画面上で画像データを表示することができ、管理テーブルの表示画面において画像データの内容を確認することができる。


【手続補正２８】
【補正対象書類名】明細書
【補正対象項目名】００７５
【補正方法】変更
【補正の内容】
【００７５】
請求項７記載の携帯情報端末によれば、データ関連付け手段による関連付けを許可するか否かを選択する関連付け選択手段を設けたから、関連付けを必要としない画像データに対する関連付けを回避することができる。


【手続補正２９】
【補正対象書類名】明細書
【補正対象項目名】００７６
【補正方法】変更
【補正の内容】
【００７６】
請求項８記載の携帯情報端末によれば、撮像手段で撮像した画像の画像データと電話番号情報とを関連付けて管理することができる。


【手続補正３０】
【補正対象書類名】明細書
【補正対象項目名】００７７
【補正方法】変更
【補正の内容】
【００７７】
請求項９記載の携帯情報端末によれば、データ関連付け手段で、外部から画像データに関連付ける電話番号情報が指定されたときに、該電話番号情報と画像データとを関連付けるから、この画像データと所望の電話番号情報との関連付けを確実に行うことができる。


【手続補正３１】
【補正対象書類名】明細書
【補正対象項目名】００７８
【補正方法】変更
【補正の内容】
【００７８】
請求項１０記載の携帯情報端末によれば、電話番号情報の表示時に該電話番号情報に関連付けられている画像データがあるときには、電話番号情報に関連付けられている画像データを画像データ記憶手段から読み出して電話番号情報とともに表示手段に表示するように制御するから、電話番号情報の表示と同時に関連付けられている画像データを表示することができる。


【手続補正３２】
【補正対象書類名】明細書
【補正対象項目名】００７９
【補正方法】変更
【補正の内容】
【００７９】
請求項１１記載の携帯情報端末によれば、関連付け手段による関連付けを許可するか否かを選択する関連付け選択手段を設けたから、関連付けを必要としない画像データに対する関連付けを回避することができる。


【手続補正３３】
【補正対象書類名】明細書
【補正対象項目名】００８０
【補正方法】変更
【補正の内容】
【００８０】
請求項１２記載の情報管理方法によれば、携帯情報端末に搭載された撮像手段で撮像した画像の画像データと個人情報とを関連付けて管理することができる。


【手続補正３４】
【補正対象書類名】明細書
【補正対象項目名】００８１
【補正方法】変更
【補正の内容】
【００８１】
請求項１３記載の情報管理方法によれば、携帯情報端末に搭載された撮像手段で撮像した画像の画像データと個人情報とを関連付けて管理することができる。